(57)【特許請求の範囲】
【請求項１】
撮影した画像をサムネイル表示により再生可能なサムネイル表示手段と、少なくとも一方に押圧式釦を有する回転自在な第１及び第２のダイヤルと、を備えた撮像装置であって、
前記サムネイル表示手段により表示されたサムネイル画像から特定のサムネイル画像を選択するカーソルを、前記第１のダイヤルの回転によりＸ軸方向に移動し、前記第２のダイヤルの回転によりＹ軸方向に移動するように制御する制御手段を備え、
前記制御手段は、一方の前記ダイヤルに備えられた前記押圧式釦を押しながら他方の前記ダイヤルが回転されたときに、前記サムネイル表示手段により表示されたサムネイル画像上のカーソルを移動させて、該カーソルが移動した部分の前記サムネイル画像を連続的に選択することを特徴とする撮像装置。
【請求項２】
撮影画像を削除する削除スイッチをさらに有し、
前記サムネイル画像が連続的に選択され、且つ前記削除スイッチが操作された場合に、前記制御手段は、選択された前記サムネイル画像に対応する全ての撮影画像を削除することを特徴とする請求項１に記載の撮像装置。
【請求項３】
撮影した画像をサムネイル表示により再生可能なサムネイル表示手段と、少なくとも一方に押圧式釦を有する回転自在な第１及び第２のダイヤルと、を備えた撮像装置であって、
前記サムネイル表示手段により表示されたサムネイル画像から特定のサムネイル画像を選択するカーソルを、前記第１のダイヤルの回転によりＸ軸方向に移動し、前記第２のダイヤルの回転によりＹ軸方向に移動するように制御する制御手段を備え、
前記制御手段は、一方の前記ダイヤルに備えられた前記押圧式釦を押しながら他方の前記ダイヤルが回転されたときに、前記サムネイル表示手段により表示されたサムネイル画像のページをスクロールすることを特徴とする撮像装置。
【請求項４】
前記第１及び第２のダイヤルを同時に回転させたとき、前記制御手段は、前記カーソルを斜め方向に移動させることを特徴とする請求項１乃至３の何れか一項に記載の撮像装置。
【請求項５】
前記制御手段は、前記ダイヤルの回転速度に応じて前記カーソルの移動速度を変化させることを特徴とする請求項１乃至４の何れか一項に記載の撮像装置。
【発明の詳細な説明】
【技術分野】
【０００１】
本発明は、撮像装置に関し、さらに詳しくは、フォーカスポイントを移動することが可能な少なくとも２つ以上の回転自在なダイヤルを備えた撮像装置に関するものである。
【背景技術】
【０００２】
近年、例えばデジタルカメラに用いられるＣＣＤ（撮像素子）は画素の高密度化が進み、これに伴って自動合焦（ＡＦ）における合焦位置の高精度化が要求されている。ＡＦにおける合焦方式はいわゆる山登り方式と呼ばれるものが一般的であり、この方式はコントラスト方式とも呼ばれ、フォーカスレンズを光軸方向に沿って駆動させつつ各駆動段階で得られる撮像画像コントラストを評価値として取得し、最も評価値の高いレンズ位置を合焦位置とする方式である。また、カメラのレリーズスイッチは２段階のスイッチによりなっており、半押しで合焦動作を行い、更に押し込むと記録動作を実施するデジタルカメラが多い。このとき合焦のポイントは被写体の中心の画像であるため、合焦位置をずらして撮影する場合は、合焦ポイントを被写体の中心に持ってきてレリーズスイッチを半押しし、その状態のまま撮影する被写体全体が入るように移動して撮影していた。
このような従来のデジタルカメラの操作性を改善するために、特許文献１には、使用者の好み、撮影シーンに応じて任意の領域から選択する操作部材について開示されている。また特許文献２には、ダイヤル部材を操作することによりフォーカスエリアを選択するカメラの操作部材について開示されている。また特許文献３には、表示部の一部に設けたタッチパネルを押圧することにより、表示部上のカーソルを移動する技術について開示されている。
【特許文献１】特開２００２−６２９６７公報
【特許文献２】特開平１１−３２６７５０号公報
【特許文献３】特開平０６−０５１９０７号公報
【発明の開示】
【発明が解決しようとする課題】
【０００３】
しかし、従来のカメラで被写体の合焦位置をずらして撮影する場合は、操作が面倒であり、必ずしも一般の使用者が容易に使いこなすことができる程、操作性が良いとはいえなかった。
また特許文献１に開示されている従来技術は、２次元方向に配置された複数の領域から任意の領域を選択するために、回転式ダイヤルと複数の押圧式釦の組み合わせの操作部材を使い分けなければならず、操作性が良いとは必ずしも言えない。
また特許文献２に開示されている従来技術は、新たなダイヤル等を追加しなくとも、複数のフォーカスエリアの中から少なくとも１つのフォーカスエリアを選択するので小型化には寄与するが、その分操作性を悪くしている虞がある。
また特許文献３に開示されている従来技術は、表示部の一部をタッチパネルとして使用するため、表示部の表示面積が狭くなるといった問題がある。
本発明は、かかる課題に鑑み、エンドレスに回転自在な２つのダイヤルを備え、そのダイヤルの組み合わせにより、フォーカスポイントを被写体の上下、左右又は斜め方向に自在に設定可能として、操作性に優れた撮像装置を提供することを目的とする。
【課題を解決するための手段】
【０００６】
本発明はかかる課題を解決するために、請求項１は、撮影した画像をサムネイル表示により再生可能なサムネイル表示手段と、少なくとも一方に押圧式釦を有する回転自在な第１及び第２のダイヤルと、を備えた撮像装置であって、前記サムネイル表示手段により表示されたサムネイル画像から特定のサムネイル画像を選択するカーソルを、前記第１のダイヤルの回転によりＸ軸方向に移動し、前記第２のダイヤルの回転によりＹ軸方向に移動するように制御する制御手段を備え、前記制御手段は、一方の前記ダイヤルに備えられた前記押圧式釦を押しながら他方の前記ダイヤルが回転されたときに、前記サムネイル表示手段により表示されたサムネイル画像上のカーソルを移動させて、該カーソルが移動した部分の前記サムネイル画像を連続的に選択することを特徴とする。
本発明は、複数のサムネイル画像の中から特定のサムネイル画像を選択するために、Ｘ軸、Ｙ軸に選択カーソルを移動する２つのダイヤルを備える。
片手による操作を可能とするために、ダイヤルの近傍に他の操作釦を配置することが望ましい。そこで本発明では、ダイヤルの少なくとも一方に押圧式釦を備えている。
また、複数のサムネイル画像を連続的に選択する場合、１つずつ選択していたのでは操作性が悪くなる。そこで本発明では、選択する始点のサムネイル画像にカーソルを設定し、そこから押圧式釦を押しながら一方のダイヤルを回転してカーソルを移動することにより、連続的に選択が可能となる。
【０００７】
請求項２は、撮影画像を削除する削除スイッチをさらに有し、前記サムネイル画像が連続的に選択され、且つ前記削除スイッチが操作された場合に、前記制御手段は、選択された前記サムネイル画像に対応する全ての撮影画像を削除することを特徴とする。
本発明では、選択画像に対して、削除スイッチから削除指示を出すことで、多量のデータを一気に消去することが可能となる。
【０００８】
請求項３は、撮影した画像をサムネイル表示により再生可能なサムネイル表示手段と、少なくとも一方に押圧式釦を有する回転自在な第１及び第２のダイヤルと、を備えた撮像装置であって、前記サムネイル表示手段により表示されたサムネイル画像から特定のサムネイル画像を選択するカーソルを、前記第１のダイヤルの回転によりＸ軸方向に移動し、前記第２のダイヤルの回転によりＹ軸方向に移動するように制御する制御手段を備え、前記制御手段は、一方の前記ダイヤルに備えられた前記押圧式釦を押しながら他方の前記ダイヤルが回転されたときに、前記サムネイル表示手段により表示されたサムネイル画像のページをスクロールすることを特徴とする。
サムネイル画像は１ページに収まるとは限らない。つまり、複数のページにまたがって記憶される場合がある。そのような場合、ページをスクロールするために、本発明では押圧式釦を押しながら一方のダイヤルを回転することにより、ページスクロールを行なう。
請求項４は、前記第１及び第２のダイヤルを同時に回転させたとき、前記制御手段は、前記カーソルを斜め方向に移動させることを特徴とする。
本発明では、２つのダイヤルを同時に回転することにより、選択カーソルを斜め方向に移動するものである。
請求項５は、前記制御手段は、前記ダイヤルの回転速度に応じて前記カーソルの移動速度を変化させることを特徴とする。
２つのダイヤルは２次元平面上にある選択カーソルのＸ軸、Ｙ軸方向に対応しており、操作性を良くするには、更にダイヤルの回転速度と選択カーソルの速度が同期する必要がある。
【発明の効果】
【０００９】
本発明によれば、一方のダイヤルの押圧式釦を押しながら他方のダイヤルを回転させたときに、サムネイル画像を連続的に選択することができるので、大量の画像を一気に操作することができ、操作性を向上させることができる。また、一方のダイヤルの押圧式釦を押しながら他方のダイヤルを回転させたときに、サムネイル画像のページをスクロール表示することができるので、大量の画像を速く検索することができ、操作性を向上させることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係るデジタルカメラの一部構成を示すブロック図である。このデジタルカメラ１００は、被写体の光学画像を取り込むズームレンズ４Ａａ、ズーム駆動モータ４Ａａからなるズーム光学系４Ａと、フォーカスレンズ４Ｂａ、フォーカス駆動モータ４Ｂｂからなるフォーカス光学系４Ｂと、絞り４Ｃａ、絞りモータ４Ｃｂからなる絞りユニット４Ｃと、メカシャッタ４Ｄａ、メカシャッタモータ４Ｄｂからなるメカシャッタユニット４Ｄと、各モータを駆動するモータドライバ１２を有する鏡胴ユニット４と、光学画像を光電変換するための固体撮像素子であるＣＣＤ５と、画像ノイズ除去用相関二重サンプリングを行うＣＤＳ６ａと、利得調整を行うＡＧＣ６ｂと、デジタル信号変換を行うＡ／Ｄ６ｃと、駆動タイミング信号を発生するＴＧ６ｄとを有するＦ／Ｅ−ＩＣ６と、ＣＣＤ５よりＦ／Ｅ―ＩＣ６の出力データにホワイトバランス設定やガンマ設定を行い、又、前述したように、垂直同期信号、水平同期信号を供給するＣＣＤ１信号処理ブロック８ａと、フィルタリング処理により、輝度データ・色差データへの変換を行うＣＣＤ２信号処理ブロック８ｂと、前述した装置各部の動作を制御するＣＰＵブロック８ｃと、前述した制御に必要なデータ等を、一時的に、保存するＬｏｃａｌ  ＳＲＡＭ８ｄと、パソコンなどの外部機器とＵＳＢ通信を行うＵＳＢブロック８ｅと、パソコンなどの外部機器とシリアル通信を行うシリアルブロック８ｆと、ＪＰＥＧ圧縮・伸張を行うＪＰＥＧ  ＣＯＤＥＣブロック８ｇと、画像データのサイズを補間処理により拡大／縮小するＲＥＳＩＺＥブロック８ｈと、画像データを液晶モニタやＴＶなどの外部表示機器に表示するためのビデオ信号に変換するＴＶ信号表示ブロック８ｉと、撮影された画像データを記録するメモリカードの制御を行うメモリカードブロック８ｊを有するデジタルスチルカメラプロセッサ８と、ＳＤＲＡＭ７と、撮影した画像データを記憶できるようにするためのメモリである内蔵メモリ９と、後述するＬＣＤモニタ１１に駆動するドライブ回路であるＬＣＤドライバ１０と、ユーザーが操作するＫｅｙ回路である操作Ｋｅｙユニット１７と、ＲＯＭ・ＲＡＭをワンチップに内臓したＣＰＵであるＳＵＢ−ＣＰＵ１６と、ストロボ光を発光するストロボ発光部１３と、ストロボ発光部１３を駆動するストロボ回路１４と、被写体までの距離を測定する測距ユニット１５と、を備えて構成されている。
【００１１】
図２はデジタルカメラＡの外観図である。まず、図１、図２を参照して、再生動作における一般的な動作について説明をする。
モードダイアルＳＷ２を再生モードにしてカメラＡを起動すると、不揮発性メモリであるメモリカードに保存されたＪＰＥＧ画像データ７ｃはメディアインターフェースを介してＳＤＲＡＭ７に取り込まれる。このＪＰＥＧ画像データ７ｃは、ＪＰＥＧＣＯＤＥＣブロック８ｇで伸張されて、ＹＵＶ画像データ７ｂとしてＳＤＲＡＭ７に書き込まれる。この画像のサイズがそのまま表示可能なサイズの場合は、このデータをそのままＴＶ信号表示ブロック８ｉに送り、出力先のデータ形式にあわせて、同期信号などの信号付加処理をした後、カメラＡに内蔵されているＬＣＤモニタ１１、又は図示しないＴＶへ出力される。このＴＶ信号表示ブロック８ｉは１２８０×９６０画素以下のサイズの画像をそのまま入力可能である。
【００１２】
画像データが１２８０×９６０以上の場合は、リサイズブロック８ｈで縮小リサイズ処理を行い、表示可能なサイズである例えば６４０×４８０に縮小してＳＤＲＡＭ７に書き戻し、この画像をＴＶ信号表示ブロック８ｉへ送って表示出力を行う。
メモリカードに複数の画像が記録されている場合、右ボタン（ＳＷ８）を押すことで次の画像へ、左ボタン（ＳＷ１０）を押すことで前の画像へ画像を切り替えることができる。またズームスイッチのテレ（ＳＷ５）で拡大、ワイド（ＳＷ６）で縮小表示のようなズーム再生が可能である。
ＣＰＵブロック８ｃは、このカメラＡの全体を集中的に制御しており、操作ＫＥＹユニット１７からの入力信号に対応して、メモリカードからの画像の読み出し指示、伸張処理、リサイズ処理、ＴＶ信号表示ブロック８ｉの設定などの指示を行っており、各部はＣＰＵブロック８ｃの指示に従い動作する。
また、ＳＤＲＡＭ７は、様々なデータ保管を行い、ＣＰＵブロック８ｃのワークＲＡＭを兼ねている。
【００１３】
第１の実施形態としてマクロ時のフォーカスターゲット移動について説明する。図３は撮影時のＬＣＤモニタの表示画面の一例を示す図である。この表示画面２１には、初期位置としてフォーカスポイント２０が画面の中央にあり、図１のカメラはレリーズスイッチ（ＳＷ１）が２段階のスイッチになっており、半押しで合焦動作を行い、さらに押し込むと記録動作を実行する。図３の状態の時に、レリーズスイッチ（ＳＷ１）を半押しすると、マクロの合焦範囲（スキャンエリア）は全域（１ｃｍ〜３０ｃｍ）でスキャンされる。また図３の状態の時に、ＯＫＳＷ（ＳＷ９）を押すと図４のようなフォーカス位置選択モード画面２２へと変更される。図４の状態のときに、ジョグダイヤル１（ＳＷ３）を回転させると上下方向に、ジョグダイヤル２（ＳＷ４）を回転させると左右方向にスキャンエリアが順次移動変更される。変更した後に、レリーズスイッチ（ＳＷ１）を半押しすると、その選択されたエリアのレンズフォーカス位置が読み出され、このエリアでの範囲をスキャンするようになる。また、選択したエリアでスキャンを行った際に、合焦位置が検出された場合は、そこでスキャンを終了する。
【００１４】
図５は本発明のジョグダイヤルの外観図である。図５（ａ）は第１の方式のジョグダイヤルであり、ジョグダイヤルは回転つまみ２３と、押し釦スイッチ２４が一体に構成され、その出力はＡ、ＰＵＳＨ、ＧＮＤ、Ｂの各端子から出力される。図５（ｂ）、（ｃ）は第２の方式のジョグダイヤルであり、（ｂ）は回転自在なＳＷであり、（ａ）とは異なり押圧式釦は備えていない。即ち、ＳＷの真中にある金属部分４１が、図５（ｃ）に示すパターンに接触し、夫々のパターンをショートさせる。図５（ｃ）はＡ，Ｂ及びＧＮＤにより構成されており、Ａ，Ｂ共にプルアップされている。また各パターンは離れているが、Ａ，Ｂの部分は回路的につながっている。動作としては、ＳＷを回転させ、パターンに金属部分４１が接触してＡ，Ｂ及びＧＮＤをショートさせることにより、図６に示す信号となる。図５に示すようなジョグダイヤル（ＳＷ３、４）は、図６のように位相の差を用いて右回転か左回転かを識別する。即ち、図６（ａ）のように右回転の場合は、Ａ端子のパルスが立ち上がりのときにＢ端子がＬＯＷとなる。これとは逆に、図６（ｂ）のようにＡ端子のパルスが立ち上がりときにＢ端子がＨＩＧＨとなれば左回転と認識される。また上下方向についても同様にＡ端子、Ｂ端子の信号を認識することにより上下を認識することができる。
ジョグダイヤル１（ＳＷ３）が上下方向、ジョグダイヤル２（ＳＷ４）が左右方向に移動すると、２つのジョグダイヤルを同時に回転させることにより図７に示すように斜め（矢印２５の方向）にフォーカスエリアを移動させることが可能となる。
【００１５】
図８は２つのジョグダイヤルのパルス差を説明する図である。図８のように通常（図８（ａ）参照）よりダイヤルを速く回転させる（図８（ｂ）参照）ことにより、パルスが変化しフォーカスエリアの移動を速くすることが可能になる。即ち、パルスの立ち上がりで見ているため、例えば、通常２秒で次のパルスがでるところを、その２秒の間に２回（１秒ごと）にパルスが出たとすると、同じ時間で前者はパルスを１個、後者は２個検出することになり、パルスを検出された分移動するように制御すれば、移動も倍となる。
図９はターゲットマクロの任意角度移動について説明する図である。図９のように任意の角度でフォーカスエリアを移動することが可能となる。例えば、両方を等しい速度で回転させると４５度の方向にフォーカスエリアが移動することになるが、上下方向の移動に使用しているジョグダイヤル１（ＳＷ３）を通常の速度で回転し、左右方向の移動に使用しているジョグダイヤル２（ＳＷ４）を速く回転させることにより４５度より少ない角度に移動することが可能となる。
【００１６】
次に第２の実施形態について説明する。図１０は再生画像のＬＣＤモニタ表示画面の図である。図１０（ａ）はサムネイル画像であり、図１０（ｂ）は全画面表示の図である。通常、静止画の再生では図１０に示すようなサムネイルモードと全画面モードを選択することが可能である。図１０（ａ）のようなサムネイルモードにおいて、従来ではサムネイル画像３０の上下・左右しか選択できないが、第１の実施形態と同様にジョグダイヤル１（ＳＷ３）とジョグダイヤル２（ＳＷ４）を同時に回転させることにより、斜め方向に選択カーソルが移動することが可能となる。
例えばダイヤル１を右方向、ダイヤル２を右方向に同時に回転させることにより図１１に示すようにサムネイル画像３０ａから右下のサムネイル画像３０ｂにカーソル３１を移動することが可能となる。
次に、押圧式釦搭載のダイヤルであるジョグダイヤル２（ＳＷ４）を押しながらもう一方のダイヤルであるジョグダイヤル１（ＳＷ３）を回転することにより、図１２のように画面３２から次のページ３３へスクロールすることが可能となる。また図１３のように、ジョグダイヤル２（ＳＷ４）を押しながら一方のジョグダイヤル１（ＳＷ３）を回転して、表示されたサムネイル画像上にカーソル３１を移動した場合、カーソル３１が移動した部分のサムネイル画像３０ａ、３０ｃ、３０ｄを連続的に選択可能となる。このことにより大容量のＳＤカードに保存されているデータを速く検索することが可能となる。
【００１７】
次に第３の実施形態について説明する。第１の実施形態で説明した通り、図８を用いてサムネイル画面での画像選択のカーソルを早く移動することが可能となる。また、押圧式釦搭載のダイヤルであるジョグダイヤル２（ＳＷ４）を押しながらもう一方のダイヤルであるジョグダイヤル１（ＳＷ３）を回転することにより図１２のように選択しながら移動することが可能となる。ここで削除ＳＷ（ＳＷ１３）を押すとここで選択された画像を全て消去することが可能となる。この二つをあわせることにより多量のデータを一気に選択し、消すことが可能となる。
【００１８】
以上の通り本発明によれば、自動焦点検出手段と撮影モード選択手段とを備えた撮像装置に、更にフォーカスポイントを移動することが可能な少なくとも２つ以上の回転自在なジョグダイヤル（ＳＷ３、ＳＷ４）を備え、撮影モード選択手段によりマクロ撮影モードが選択され、且つフォーカスポイントを選択するモードに設定された場合、この２つのダイヤルを回転操作することにより、フォーカスポイントを被写体の任意の位置に移動するので、ダイヤル一つでは実現しづらい斜め移動や、押圧式十字釦では実現しづらいカーソルの速度の変更などが可能となり、操作性を向上することができると共に、カーソルが自由に動くことにより、フォーカスポイントを効率よく移動できるため、撮影者がスムーズに撮影することが可能となる。
また、ダイヤルは、フォーカスポイントをＸ軸方向に移動するジョグダイヤル１と、フォーカスポイントをＹ軸方向に移動するジョグダイヤル２と、を備え、ジョグダイヤル１及びジョグダイヤル２を同時に回転することにより、フォーカスポイントを斜め方向に移動可能としたので、２つのダイヤル操作の組み合わせにより、フォーカスポイントを任意の位置に移動することができる。
【００１９】
また、ジョグダイヤルを回転する速度に応じてフォーカスポイントの移動速度が変化するので、ジョグダイヤルの回転速度とフォーカスポイントの移動速度を同期させることができる。
また、ジョグダイヤル１及びジョグダイヤル２を同時に回転してフォーカスポイントを斜め方向に移動する場合、ジョグダイヤル１及びジョグダイヤル２の回転速度の差によりフォーカスポイントの移動角度を任意に設定できるので、斜め方向の移動角度を任意に設定することができる。
また、ジョグダイヤルは、サムネイル表示手段により表示されたサムネイル画像から特定のサムネイル画像を選択するポイントをＸ軸方向に移動するジョグダイヤル１と、ポイントをＹ軸方向に移動するジョグダイヤル２と、を備え、ジョグダイヤル１及びジョグダイヤル２を同時に回転することにより、ポイントを斜め方向に移動できるので、複数のサムネイル画像から特定のサムネイル画像を容易に選択することができる。
【００２０】
また、ジョグダイヤルを回転する速度に応じてポイントの移動速度が変化するので、ダイヤルの操作速度とポイントの移動速度を同期することができる。
また、ジョグダイヤルの一方若しくは両方に押圧式釦が備えられているので、片手による操作を容易にすることができる。
また、押圧式釦を押しながら一方のジョグダイヤルを回転することにより、サムネイル表示手段により表示されたサムネイル画像のページがスクロールするので、片手操作によりページスクロールを容易に行なうことができる。
また、押圧式釦を押しながら一方のジョグダイヤルを回転してサムネイル表示手段により表示されたサムネイル画像上にカーソルを移動した場合、カーソルが移動した部分のサムネイル画像を連続的に選択できるので、複数のサムネイル画像を一括で選択することができる。
【図面の簡単な説明】
【００２１】
【図１】本発明の実施形態に係るデジタルカメラの一部構成を示すブロック図である。
【図２】（ａ）〜（ｃ）はデジタルカメラＡの外観図である。
【図３】撮影時のＬＣＤモニタの表示画面の一例を示す図である。
【図４】ターゲットマクロ使用時のＬＣＤモニタの表示画面の図である。
【図５】（ａ）〜（ｃ）は本発明のジョグダイヤルの外観図である。
【図６】（ａ）は右回転のＡ端子とＢ端子のタイミングチャートであり、（ｂ）は左回転のＡ端子とＢ端子のタイミングチャートである。
【図７】ターゲットマクロの斜め移動を説明する図である。
【図８】（ａ）（ｂ）は２つのジョグダイヤルのパルス差を説明する図である。
【図９】ターゲットマクロの任意角度移動について説明する図である。
【図１０】（ａ）（ｂ）は再生画像のＬＣＤモニタ表示画面の図である。
【図１１】サムネイル表示時の斜め移動を説明する図である。
【図１２】サムネイル表示時のページスクロールを説明する図である。
【図１３】サムネイル表示時の連続選択を説明する図である。
【符号の説明】
【００２２】
４Ａａ  ズームレンズ、４Ａ  ズーム光学系、４Ｂａ  フォーカスレンズ、４Ｂｂ  フォーカス駆動モータ、４Ｂ  フォーカス光学系、４Ｃａ  絞り、４Ｃｂ  絞りモータ、４Ｃ  絞りユニット、４Ｄａ  メカシャッタ、４Ｄｂ  メカシャッタモータ、４Ｄ  メカシャッタユニット、１２  モータドライバ、４  鏡胴ユニット、５  ＣＣＤ、６ａ  ＣＤＳ、６ｂ  ＡＧＣ、６ｃ  Ａ／Ｄ、６ｄ  ＴＧ、６  Ｆ／Ｅ−ＩＣ、７  ＳＤＲＡＭ、８ａ  ＣＣＤ１信号処理ブロック、８ｂ  ＣＣＤ２信号処理ブロック、８ｃ  ＣＰＵブロック、８ｄ  Ｌｏｃａｌ  ＳＲＡＭ、８ｅ  ＵＳＢブロック、８ｆ  シリアルブロック、８ｇ  ＪＰＥＧ  ＣＯＤＥＣブロック、８ｈ  ＲＥＳＩＺＥブロック、８ｉ  ＴＶ信号表示ブロック、８ｊ  メモリカードブロック、８  デジタルスチルカメラプロセッサ、９  内蔵メモリ、１０  ＬＣＤドライバ、１１  ＬＣＤモニタ、１３  ストロボ発光部、１４  ストロボ回路、１５  測距ユニット、１６  ＳＵＢ−ＣＰＵ、１７  操作Ｋｅｙユニット、１００  デジタルカメラ
【図１】
0004751715.tif 000002
【図２】
0004751715.tif 000003
【図３】
0004751715.tif 000004
【図４】
0004751715.tif 000005
【図５】
0004751715.tif 000006
【図６】
0004751715.tif 000007
【図７】
0004751715.tif 000008
【図８】
0004751715.tif 000009
【図９】
0004751715.tif 000010
【図１０】
0004751715.tif 000011
【図１１】
0004751715.tif 000012
【図１２】
0004751715.tif 000013
【図１３】
0004751715.tif 000014